(57)【要約】【課題】収納時の作業性を大幅に向上させた扇風機を提供する。【解決手段】支持部３は、基台部２の上面に設けた凹部11に嵌合可能な収納ケース12を有し、電源コード30を巻き取り状態で収納するコードリール40が横置き状態で内蔵される。また、収納ケース12の後方側面には、電源コード30のプラグ31を保持可能なプラグホルダー47が形成されている。扇風機を使用しない時には、電源コード30をコードリール40に巻取らせて収納ケース12内に収納する。コードリール40により電源コード30を容易に巻き取ることができるため、電源コード30収納時のわずらわしさを解消することができる。プラグホルダー47によりプラグ31が保持されるため、扇風機移送時に例えば家具などにプラグ31の刃が当たって傷付けることがない。【選択図】図１
2007224772.tif 000002
【特許請求の範囲】
【請求項１】
送風部を支持する支持部と、この支持部に嵌合可能な基台部とを備えた扇風機において、コードを巻き取り可能な巻取体を前記支持部に設けたことを特徴とする扇風機。
【請求項２】
前記コードを保持可能な保持部を前記支持部に設けたことを特徴とする請求項１記載の扇風機。
【発明の詳細な説明】
【技術分野】
【０００１】
本発明は、送風部を備えた支柱部と基台部とが分離できる扇風機に関する。
【背景技術】
【０００２】
近年の扇風機は収納性を考慮し、例えば特許文献１のように支柱部とベース部とを着脱自在とした構造を有する扇風機が主流である。またコードの配線方式としては、コードが支柱部に一体になっているものが一般的となっている。
【０００３】
従来の扇風機の全体構成を示す図５において、１は送風機能を有する扇風機本体であり、これは基台部２と、この基台部２に着脱可能に立設される支持部３と、送風部８とにより構成される。また支持部３は、基台部２に嵌合可能な収納ケース12と、この収納ケース12の上面に直立状態で取付けられる支柱13とにより構成される。
【０００４】
図６は、基台部２から支持部３の収納ケース12を取り外した状態における支柱13の後方部分を示す部分拡大図である。基台部２に支持部３の収納ケース12が装着される。収納ケース12内には、図示しない電源コード30が収納されている。
【０００５】
図６で示した基台部２を底面側から見た図が図７であり、電源コード30が収納ケース12内に設けられたコード収納部32から外部へ引き出された様子を示している。例えば冬など扇風機を使用しない時には、邪魔にならないように電源コード30は束ねられてコード収納部32に収納され、一方、例えば夏など扇風機を使用する時には、基台部２の底面から束ねた電源コード30を取り出して使用する。そのため、基台部２の底面には、基台部２に支持部３の収納ケース12が装着された状態でも電源コード30が取り出せるように、コード収納部32に対向する位置の後端から円弧状に切り取られたコード取出口33が開口形成されている。
【特許文献１】特開２００５−２４８７３５号公報
【発明の開示】
【発明が解決しようとする課題】
【０００６】
しかし、この従来の方式においては、電源コード30を収納する場合、基台部２を裏返して収納するため不便であり、ユニバーサルデザインの視点からも、電源コード30を束ねてコード収納部32へ収納する作業は非常に面倒な作業であった。
【０００７】
そこで本発明は上記問題点に鑑み、収納時の作業性を大幅に向上させた扇風機を提供することを目的とする。
【課題を解決するための手段】
【０００８】
本発明における請求項１の扇風機では、巻取体によりコードを容易に巻き取ることができるため、コード収納時のわずらわしさを解消することができる。
【０００９】
本発明における請求項２の扇風機では、コードを収納後、コードの一部が保持されるため、扇風機移送時に例えば家具などにコードが当たって傷付けることがない。また、保持部へコードをセットした状態で支持部と基台部とを分離することができ、扇風機を収納するときに邪魔にならない。コード全体を支持部内に収納することなく外部側で保持されるため、支持部における基台部との装着部をフラットなデザインにできる。
【発明の効果】
【００１０】
本発明の請求項１によると、収納時の作業性を大幅に向上させた扇風機を提供することができる。
【００１１】
本発明の請求項２によると、コードが邪魔にならず、かつ扇風機のデザイン性を損なうこともない。
【発明を実施するための最良の形態】
【００１２】
以下、添付図面を参照しながら、本発明における扇風機の好ましい実施例を説明する。なお、従来例と同一箇所には同一符号を付し、共通する部分の説明は重複するため極力省略する。
【００１３】
本実施例の扇風機において、基台部２及び支持部３以外の構成に関しては、図５に示した上記従来の扇風機本体１と同様である。以下、基台部２及び支持部３の構成について詳述する。
【００１４】
図１は基台部２及び支持部３部分の平面図であり、図２は基台部２及び支持部３部分の縦断面図である。支持部３は、床面（図示せず）等に安定した状態で載置される平板状の基台部２の上面に設けた凹部11に嵌合可能な箱状の収納ケース12と、この収納ケース12の上面に直立状態で取付けられ、支持部３の上端開口部より昇降自在に挿入支持されるスライドパイプ４を垂直方向に挿通する孔（図示せず）を有する支柱13とにより構成される。ＰＰ樹脂製の収納ケース12の上面には、扇風機本体の各部を遠隔操作するリモコン16を収納可能な凹状の収納部たるリモコン収納部17が、支柱13の前方に位置して形成される。リモコン収納部17の底面略中央には、リモコン16がなくても扇風機本体の各部を操作できるように、単独の押し釦スイッチからなる操作部21が設けられる。この操作部21は、リモコン収納部17に収納したリモコン16に覆われるように配置される。また、リモコン収納部17の後方すなわち支柱13側には、リモコン16の受部たる受光部22が設けられていて、受光部22の一部は前記リモコン16の一側と重なり合うように配置されている。なお15は、支柱13の前面に設けられたマイナスイオン発生器である。
【００１５】
35は収納ケース12の内部後方に配置された制御基板であって、これは操作部21や受光部22からの操作信号を受けて、当該扇風機の各部であるモータ５や、マイナスイオン発生器15や、スライドパイプ４の上端において左右方向に首振り可能に取付けられ、羽根６をガード７で覆って構成される送風部８の首振り機構（図示せず）などの動作を制御するものである。制御基板35の下方には、当該扇風機の各部に電気的に接続されたコードとしての電源コード30を巻き取り状態で収納する巻取体としてのコードリール40が横置き状態で配置されている。すなわち、コードリール40は、収納スペースの高さが低くなるように、収納ケース12ひいては基台部２に対して水平状態（平行状態）に配置されている。これにより、収納ケース12にコードリール40を内蔵しても支持部３を薄型化することができる。コードリール40は、電源コード30を巻くことのできる幅に形成されたリール41と、このリール41を回転自在に保持する一対のケースとしての上部ケース42，下部ケース43とを備え、コードリール40の下部のリール41と下部ケース43との間には、リール41を回転させて電源コード30を巻き取るための回転手段としてのゼンマイ44が設けられている。コードリール40を極力薄くするため、リール41の幅は電源コード30一本分の径と同程度とするのが好ましい。上部ケース42の略中心にはコードリール40外に露出して一対の端子45，45が突設されており、この端子45，45は上方に位置する制御基板35に電気的に接続されている。なお、コードリール40の中心部には電源コード30と端子45，45とを電気的に接続するブラシ装置（図示せず）を備えている。
【００１６】
電源コード61のコード出口46は収納ケース12の後方側面下端に形成した切り欠きにより形成され、このコード出口46は、プラグ31がアイロン本体１の内部に入り込まない大きさに形成されている。また、収納ケース12の後方側面下端には、電源コード30のプラグ31を支持部３外部側で保持可能なプラグ保持部としてのプラグホルダー47が一体に形成されている。プラグホルダー47は、図３に示すように、三角形状の舌片の先端部47ａを略直角に折り曲げた形状をしており、その基部が収納ケース12の後方側面下端から水平方向へ若干延出した後、先端部47ａが略直角に上方へ折れ曲がっている。プラグホルダー47の先端部47ａと収納ケース12の後方側面との間にプラグ31の根元を嵌合して挟持させることにより、プラグ31が収納ケース12の外部で保持固定される。すなわち、本実施例の扇風機では、電源コード30はコードリール40に巻き取られて収納ケース12内部に収納されるが、プラグ31のみは収納ケース12内部に収納されることなく外部で保持される。
【００１７】
コードリール40が水平状態に配置され、かつプラグ31自体まで支持部３内に収納されることなく外部側で保持されるため、コードリール40やプラグ31の収納スペースに合わせて収納ケース12の形状をいびつな形状に変形させる必要がなく、支持部３における基台部２との装着部となる収納ケース12をフラットなデザインにできる。
【００１８】
次に、上記構成における作用を説明すると、扇風機の使用に際しては、まず基台部２に支持部３の収納ケース12を装着して扇風機本体を組立てる必要がある。当該組立の手順について示したものが図４であり、基台部２の凹部11の前方に設けられた係合穴50に収納ケース12の先端に突設されたガイド片51を宛がい、このガイド片51を支点としてそのまま収納ケース12の後方部分を凹部11に押し込みことにより、収納ケース12の外周側面に一体的に形成される弾性変形可能な爪部24を基台部２の凹部11内面に形成した嵌合部25に嵌合させて、基台部２の凹部11に支持部３の収納ケース12が装着される。次いで、プラグ31をプラグホルダー47から外して引張ることにより、電源コード30が収納ケース12に内蔵されたコードリール40から引き出され、プラグ31を商用電源のコンセントに差込んで制御基板35を通電状態にする。電源コード30は一度引張って離すと、その位置で停止し、再度引張って離すと、コードリール40に巻取られる。なお、コードリール40は例えば釦の押動操作などにより電源コード30を巻き取るよう構成してもよい。
【００１９】
ここで、リモコン16をリモコン収納部17から取り外すか否かに拘らず、リモコン16の操作面18にある各種の操作ボタンを押動すると、リモコン16の操作信号が受光部22を通じて制御基板35に取り込まれ、その操作信号に基づく扇風機本体の各部の動作制御が行なわれる。具体的には、送風部８の運転入・切と、マイナスイオン発生器15の運転入・切と、送風部８のタイマー運転における時間の切替えと、送風部８の風量調節と、送風部８のゆらぎ運転入・切とを、リモコン16から各々遠隔操作することができる。また、リモコン16がリモコン収納部17に存在しない場合でも、リモコン収納部17の底面にある操作部21を操作することにより、扇風機本体の各部の動作を制御できる。
【００２０】
一方、扇風機本体を使用しない時には、電源コード30を一度引張って離すことによりコードリール40に巻取らせて、電源コード30を収納ケース12内に収納する。コードリール40により電源コード30を容易に巻き取ることができるため、電源コード30収納時のわずらわしさを解消することができる。このとき、プラグ31のみは収納ケース12内に収納されず出口69で支えて収納ケース12外に残されるので、このプラグ31を若干引き出しプラグホルダー47に係合保持させる。電源コード30を収納後、収納ケース12に設けたプラグホルダー47により、プラグ31が保持されるため、扇風機移送時に例えば家具などにプラグ31の刃が当たって傷付けることがない。そして、扇風機を長期間収納する場合には、前記組立とは逆の手順で基台部２の凹部11から支持部３の収納ケース12を取り外し、扇風機本体を収納し易いように分解してから適当な場所に収納すればよい。支持部３と基台部２とは、プラグホルダー47へプラグ31をセットした状態で分離することができ、扇風機を収納するときに邪魔にならない。また、コードリール40が支持部３の収納ケース12側に設けられているため、支持部３と基台部２とを分離させる構造としても支持部３と基台部２との電気的接続を考慮する必要がない。
【００２１】
以上のように本実施例では、羽根６を駆動する電動機としてのモータ５と、このモータ５を支持し制御部としての制御基板35を備えた支持部３と、この支持部３に嵌合可能な基台部２とを備えた扇風機において、電源コード30を巻き取り可能な巻取体としてのコードリール40を支持部３に設けている。
【００２２】
このようにすると、コードリール40により電源コード30を容易に巻き取ることができるため、電源コード30収納時のわずらわしさを解消することができる。従って、収納時の作業性を大幅に向上させた扇風機を提供することができる。
【００２３】
また本実施例の扇風機では、電源コード30のプラグ31を外部側で保持可能なプラグ保持部としてのプラグホルダー47を支持部３に設けている。
【００２４】
このようにすると、電源コード30を収納後、プラグ31が保持されるため、扇風機移送時に例えば家具などにプラグ31の刃が当たって傷付けることがない。また、プラグホルダー47へプラグ31をセットした状態で支持部３と基台部２とを分離することができ、扇風機を収納するときに邪魔にならない。プラグ31自体まで支持部３内に収納されることなく外部側で保持されるため、支持部３における基台部２との装着部としての収納ケース12をフラットなデザインにできる。以上より、電源コード30のプラグ31が邪魔にならず、かつ扇風機のデザイン性を損なうこともない。
【００２５】
なお、本発明は、上記実施例に限定されるものではなく、本発明の趣旨を逸脱しない範囲で変更可能である。コードリールを設ける位置は支持部の収納ケース後方に限定されるものではなく、例えば支柱の直下などに配置することもできる。また、プラグホルダーは上記実施例のものと同等の作用効果を奏するものであれば、材質，形状，位置共にどのように構成してもよい。
【図面の簡単な説明】
【００２６】
【図１】本発明の実施例における扇風機の基台部及び支持部の平面図である。
【図２】同上、基台部及び支持部の縦断面図である。
【図３】同上、基台部及び支持部の後方部分を示す拡大斜視図である。
【図４】同上、基台部に支持部を装着する際の組立手順を示す説明図である。
【図５】従来例における扇風機の斜視図である。
【図６】同上、基台部から支持部を取り外した状態での基台部及び支持部の後方部分を示す拡大斜視図である。
【図７】同上、基台部及び支持部の後方部分から電源コードを引き出した状態を示す拡大底面図である。
【符号の説明】
【００２７】
１  扇風機本体
２  基台部
３  支持部
５  モータ（電動機）
６  羽根
30  電源コード
31  プラグ
40  コードリール（巻取体）
47  プラグホルダー（保持部）
【図１】
2007224772.tif 000003
【図２】
2007224772.tif 000004
【図３】
2007224772.tif 000005
【図４】
2007224772.tif 000006
【図５】
2007224772.tif 000007
【図６】
2007224772.tif 000008
【図７】
2007224772.tif 000009